(57)【要約】【課題】画面遷移時に要する時間を短縮することができ、なおかつユーザの体感的な待ち時間を減少することができる画面遷移装置、および画面遷移方法を提供すること。【解決手段】コンテンツ再生装置１００では、画面の遷移の指示を受けると、第一画面を第二画面に遷移させる。当該画面の遷移は、ＯＳＤ処理部１１０で行っている。具体的には、第一画面をスクロール表示している。ＯＳＤ処理部１１０による第一画面のスクロール表示中に、コンテンツ再生装置１００では、第二画面を表示するための処理を行っており、第一画面のスクロール表示の完了後に、第二画面を表示する。したがって、第一画面のスクロール表示中に、画面遷移の処理（第二画面を表示するための処理）を行っているので、第一画面のスクロール表示完了後には、すぐに第二画面を表示することができる。【選択図】図１
2011138383.tif 000002
【特許請求の範囲】
【請求項１】
画面の遷移の指示を受けると、第一画面を第二画面に遷移させる画面遷移装置であって、
上記第一画面をスクロール表示するスクロール表示手段と、
上記第一画面のスクロール表示中に、上記第二画面を表示するための処理を行う処理手段と、
上記第一画面をスクロール表示完了後に、上記第二画面を表示する表示手段とを備えていることを特徴とする画面遷移装置。
【請求項２】
上記処理手段は、上記第二画面に含まれるコンテンツのデータを取得する処理を行うことを特徴とする請求項１に記載の画面遷移装置。
【請求項３】
上記処理手段は、上記コンテンツの再生開始前に必要な事前処理を行うことを特徴とする請求項２に記載の画面遷移装置。
【請求項４】
上記処理手段は、上記第二画面を表示する際の表示パラメータの設定を行うことを特徴とする請求項１に記載の画面遷移装置。
【請求項５】
上記処理手段は、上記第一画面の表示状態を表す情報を記憶部に記憶することを特徴とする請求項１に記載の画面遷移装置。
【請求項６】
上記画面の遷移の指示を受ける前に、上記第二画面の背景画像を予め取得する取得手段をさらに備え、
上記スクロール表示手段は、上記第一画面と上記第二画面の背景画像とが連なった画像をスクロール表示することを特徴とする請求項１〜５のいずれか１項に記載の画面遷移装置。
【請求項７】
請求項１〜６のいずれか１項に記載の画面遷移装置を備えていることを特徴とするテレビジョン受像機。
【請求項８】
画面の遷移の指示を受けると、第一画面を第二画面に遷移させる画面遷移方法であって、
上記第一画面をスクロール表示するステップと、
上記第一画面のスクロール表示中に、上記第二画面を表示するための処理を行うステップと、
上記第一画面のスクロール表示完了後に、上記第二画面を表示するステップとを備えていることを特徴とする画面遷移方法。
【請求項９】
請求項１から６のいずれか１項に記載の画面遷移装置を動作させるプログラムであって、コンピュータを上記の各手段として機能させるためのプログラム。
【請求項１０】
請求項９に記載のプログラムを記録しているコンピュータ読み取り可能な記録媒体。
【発明の詳細な説明】
【技術分野】
【０００１】
本発明は、現在表示している図面をスクロール表示して、現在表示している画面から次に表示すべき画面に遷移する画面遷移装置、および画面遷移方法に関する。
【背景技術】
【０００２】
パーソナルコンピュータ、携帯型情報端末（ＰＤＡ；Personal Data Assistant）、携帯電話、テレビジョン受像機、またはテレビジョン機能付きパーソナルコンピュータ等のコンテンツ再生装置は、近年広く普及しつつある。これらのコンテンツ再生装置は、ディスプレイ上に情報を表示して使用するものがほとんどである。そこで、ディスプレイ上の表示領域の大きさよりも、当該表示領域に表示すべき情報の方が大きい時には、当該情報をスクロール表示させるものが一般的である。特に、このようなコンテンツ再生装置では、ディスプレイ上においてカーソルを移動させ、カーソルによってディスプレイ上に表示されたボタン等の選択オブジェクトを選択したり、表示された情報のスクロール操作をしたりする。
【０００３】
例えば、特許文献１には、表示領域におけるカーソルの移動と、スクロール領域における情報のスクロール表示とをいずれも行うスクロール表示制御装置が開示されている。具体的には、入力装置からスクロール指示を入力している場合、入力装置から移動指示を入力することでカーソル移動手段によりカーソルが移動する。さらに、この移動指示に応じてスクロール表示制御手段によりスクロール領域内で情報をスクロール表示させることができる。一方、入力装置からスクロール指示を入力していない場合には、移動指示の入力ではスクロール領域内で情報がスクロール表示されることなく、スクロール領域の内外の表示領域においてカーソルを移動させることができる。
【０００４】
これによれば、カーソルをスクロール領域の内外で移動させたり、スクロール領域内で情報をスクロール表示させたりすることができる。特に、スクロール表示の指示を入力するか否かによって、表示領域全体におけるカーソル移動とスクロール領域における情報のスクロール表示とを適宜選択することができるので、両操作の操作性が高くなる。
【０００５】
また、コンテンツ再生装置において、フォルダまたはファイルを検索する時には、フォルダ／ファイル一覧として、比較的小さい表示領域（サムネイル領域）にユーザが認識できる程度のサムネイル画像をフォルダ／ファイル名と共に複数表示するユーザインターフェース表示を一般的に行う。これによって、多くのフォルダまたはファイルの中から所望のフォルダまたはファイルを迅速に選択することができる。
【０００６】
例えば、特許文献２には、フォルダのスクロール操作と、サムネイル画像のスクロール処理とをいずれも行うユーザインターフェース表示装置が開示されている。具体的には、複数のフォルダのアイコンが画面の上位階層表示部に左右方向に配列されている。また、特定位置に表示されたフォルダに属する複数のファイルのサムネイル画像が下位階層表示部に折曲状に配列されており、折曲部に位置するサムネイル画像は相対的に大サイズになっている。上記フォルダのアイコンは、左右方向指示キーの操作によってスクロールして選択することができ、上記ファイルのサムネイル画像は、上下方向指示キーの操作によってスクロールして選択することができる。これによれば、フォルダおよびファイルの一覧を表示領域の中に複数画像を用いて表示しながら、ユーザによるフォルダのスクロール操作と当該フォルダに属する複数のファイルのサムネイル画像のスクロール処理とが行われる。これによって、ユーザが数多くのファイルの中から所望のファイルを容易な操作で迅速に選択することが可能となる。
【先行技術文献】
【特許文献】
【０００７】
【特許文献１】特開２００６−３３１０３７号公報（２００６年１２月７日公開）
【特許文献２】特開２００６−２６８２９５号公報（２００６年１０月５日公開）
【発明の概要】
【発明が解決しようとする課題】
【０００８】
ところで、上記したコンテンツ再生装置では、カーソルによってディスプレイ上に表示されたボタン等の選択オブジェクトを選択すると、当該オブジェクトに対応付けられた画面に遷移する機能を一般的に有している。この場合には、現在表示している画面から、次に表示すべき画面に遷移するために、次に表示すべき画面を新たに表示する処理を行う必要がある。当該処理には時間を要するため、ユーザが画面を遷移する指示を出してから、実際にディスプレイ上に次の画面が表示されるまでにタイムラグが生じてしまう。
【０００９】
上述した特許文献１に開示されている技術は、ディスプレイ上の表示領域の大きさよりも大きい情報を表示させる際に用いられる画面の遷移方法である。すなわち、表示領域に表示された一つの情報をスクロール表示するものであり、一方の画面から他方の画面に遷移する際に用いられる技術ではない。同様に、特許文献２に開示されている技術は、フォルダまたはファイルの一覧をスクロールして、当該一覧から所望のフォルダまたはファイルを選択するものであり、一方の画面から他方の画面に遷移する際に用いられる技術ではない。
【００１０】
したがって、上述した特許文献１および２に開示されている装置において、現在表示している画面から、次に表示すべき画面に遷移する際には、次に表示すべき画面の表示処理を行う必要がある。そのため、次に表示すべき画面への遷移を開始してから、ユーザが実際に次の画面を視認することができる状態になるまでにしばらく待たされることがある。したがって、ユーザが即座に次の画面を表示させたい場合には、不満の生じることになる。
【００１１】
そこで、本発明は上記の課題に鑑みてなされたものであり、その目的は、画面遷移時に要する時間を短縮することができ、なおかつユーザの体感的な待ち時間を減少することができる画面遷移装置、および画面遷移方法を提供することにある。
【課題を解決するための手段】
【００１２】
本発明に係る画面遷移装置は、上記課題を解決するために、画面の遷移の指示を受けると、第一画面を第二画面に遷移させる画面遷移装置であって、上記第一画面をスクロール表示するスクロール表示手段と、上記第一画面のスクロール表示中に、上記第二画面を表示するための処理を行う処理手段と、上記第一画面をスクロール表示完了後に、上記第二画面を表示する表示手段とを備えていることを特徴としている。
【００１３】
上記の構成によれば、第一画面のスクロール表示中に、第二画面を表示するための処理を行っており、第一画面をスクロール表示完了後に、当該第二画面を表示する。したがって、第一画面のスクロール表示中に、画面遷移の処理（第二画面を表示するための処理）を行っているので、第一画面のスクロール表示完了後には、すぐに第二画面を表示することができる。
【００１４】
従来技術では、ユーザからの第二画面への遷移の指示がなされた時点から、第二画面を表示するための各種処理が行われる。したがって、ユーザが画面遷移の指示をしてから、実際に第二画面が表示画面に表示されるまでに要する時間が、ユーザの体感的な待ち時間であった。
【００１５】
一方、本発明では、画面遷移の処理をしている間にも、表示画面には第一画面がスクロール表示されているのが表示されている。すなわち、画面の遷移に併せて画面が動いて表示される。このように、画面が遷移するのをユーザが待っている間にも表示画面上に動きをつけることによって、ユーザの待たされているという感覚を軽減することができる。したがって、本発明でのユーザの体感的な待ち時間は、スクロール表示完了後に第二画面を表示するのに要する時間だけである。本発明では、スクロール表示完了後にすぐに第二画面を表示することができるので、従来技術と比較してユーザの体感的な待ち時間を大幅に短縮することができる。
【００１６】
また、本発明に係る画面遷移装置においては、上記処理手段は、上記第二画面に含まれるコンテンツのデータを取得する処理を行うことを特徴としている。
【００１７】
上記の構成によれば、第一画面のスクロール表示中に、第二画面に含まれるコンテンツのデータを取得することによって、スクロール表示完了後に、すぐに第二画面を表示することができる。
【００１８】
また、本発明に係る画面遷移装置においては、上記処理手段は、上記コンテンツの再生開始前に必要な事前処理を行うことを特徴としている。
【００１９】
上記の構成によれば、第二画面を表示した後に、当該第二画面に含まれるコンテンツをすぐに再生することができる。
【００２０】
また、本発明に係る画面遷移装置においては、上記処理手段は、上記第二画面を表示する際の表示パラメータの設定を行うことを特徴としている。
【００２１】
上記の構成によれば、第一画面のスクロール表示中に、第二画面の表示パラメータを予め設定することによって、スクロール表示完了後に、すぐに第二画面を表示することができる。
【００２２】
また、本発明に係る画面遷移装置においては、上記処理手段は、上記第一画面の表示状態を表す情報を記憶部に記憶することを特徴としている。
【００２３】
上記の構成によれば、第二画面を表示した後に第一画面を再び表示させる場合でも、すぐに第一画面に遷移することができる。
【００２４】
また、本発明に係る画面遷移装置においては、上記画面の遷移の指示を受ける前に、上記第二画面の背景画像を予め取得する取得手段をさらに備え、上記スクロール表示手段は、上記第一画面と上記第二画面の背景画像とが連なった画像をスクロール表示することを特徴としている。
【００２５】
上記の構成によれば、画面の遷移の指示を受ける前に、第二画面の背景画像を予め取得する。これによって、ユーザからの画面の遷移の指示後に画面遷移に要する時間を短縮することができる。
【００２６】
また、本発明に係るテレビジョン受像機は、上記課題を解決するために、上記したいずれかの画面遷移装置を備えていることを特徴としている。
【００２７】
上記の構成によれば、画面遷移時に要する時間を短縮することができ、なおかつユーザの体感的な待ち時間を減少することができるテレビジョン受像機を提供することができる。
【００２８】
また、本発明に係る画面遷移方法は、上記課題を解決するために、画面の遷移の指示を受けると、第一画面を第二画面に遷移させる画面遷移方法であって、上記第一画面をスクロール表示するステップと、上記第一画面のスクロール表示中に、上記第二画面を表示するための処理を行うステップと、上記第一画面のスクロール表示完了後に、上記第二画面を表示するステップとを備えていることを特徴としている。
【００２９】
上記の方法によれば、画面遷移時に要する時間を短縮することができ、なおかつユーザの体感的な待ち時間を減少することができる画面遷移方法を提供することができる。
【００３０】
なお、上述した画面遷移装置は、コンピュータによって実現してもよく、この場合には、コンピュータを上記各部として動作させることにより上記コンテンツ再生装置をコンピュータにて実現させるプログラム、およびそれを記録したコンピュータ読み取り可能な記録媒体も、本発明の範疇に入る。
【発明の効果】
【００３１】
本発明に係る画面遷移装置では、画面遷移の処理をしている間にも、表示画面には第一画面がスクロール表示されているのが表示されている。すなわち、画面の遷移に併せて画面が動いて表示される。このように、画面が遷移するのをユーザが待っている間にも表示画面上に動きをつけることによって、ユーザの待たされているという感覚を軽減することができる。したがって、本発明でのユーザの体感的な待ち時間は、スクロール表示完了後に第二画面を表示するのに要する時間だけである。本発明では、スクロール表示完了後にすぐに第二画面を表示することができるので、ユーザの体感的な待ち時間を大幅に短縮することができる。
【図面の簡単な説明】
【００３２】
【図１】本発明の一実施形態に係るＯＳＤ処理部の内部構成を詳しく示したコンテンツ再生装置の概略構成を示したブロック図である。
【図２】本発明の一実施形態に係るコンテンツ再生装置の内部構成を示すブロック図である。
【図３】（ａ）は、画面遷移前の表示画面の一表示例を示す図であり、（ｂ）は、画面遷移時の表示画面の一表示例を示す図である。
【図４】画面遷移完了時の表示画面の一表示例を示す図である。
【図５】画面遷移時の各タスクの処理内容を示すタイミングチャートである。
【図６】従来技術と本発明とにおける画面遷移時に要する時間の詳細を示すタイミングチャートである。
【図７】各ＯＳＤメモリ領域が保持するＯＳＤ画像の一例を示す図である。
【図８】ＯＳＤメモリ領域１のＯＳＤ画像の一部をＯＳＤ領域２に転送する工程を示す図である。
【図９】ＯＳＤメモリ領域３のＯＳＤ画像の一部をＯＳＤ領域２に転送する工程を示す図である。
【図１０】ＯＳＤメモリ領域が保持するＯＳＤ画像の一例を示す図である。
【図１１】ＯＳＤメモリ領域に２つのＯＳＤ画像を作成する工程を示す図である。
【図１２】表示開始位置のアドレスを変更する工程を示す図である。
【図１３】ＯＳＤメモリ領域の下側のＯＳＤ画像を上側に転写する工程を示す図である。
【図１４】ＯＳＤメモリ領域が保持するＯＳＤ画像の一例を示す図である。
【図１５】ＯＳＤメモリ領域が保持するＯＳＤ画像の一例を示す図である。
【発明を実施するための形態】
【００３３】
本実施形態に係る画面遷移装置は、パーソナルコンピュータ、携帯型情報端末（ＰＤＡ；Personal Data Assistant）、携帯電話、テレビジョン受像機、またはテレビジョン機能付きパーソナルコンピュータ等のコンテンツ再生装置に適用可能である。以下では、本実施形態に係る画面遷移装置をコンテンツ再生装置に採用した場合の例を示す。
【００３４】
（コンテンツ再生装置１００の概要）
本実施形態に係るコンテンツ再生装置１００の概要について、図２を参照して説明する。図２は、コンテンツ再生装置１００の内部構成を示すブロック図である。
【００３５】
図２に示すように、コンテンツ再生装置１００は、多様な各種媒体と接続可能な入力インターフェースを備えている。具体的には、コンテンツ再生装置１００は、外部記憶媒体インターフェース部１０６、ネットワークインターフェース部１２４、無線通信インターフェース部１２５、および赤外線インターフェース部１２６を備えている。各種媒体としては、例えば、ＵＳＢ（Universal Bus）メモリ、ＳＤカード、外付けＨＤＤ（Hard Disk Drive）、およびＢＤ（Blu-ray Disk）等の外部記憶媒体１２７、有線ＬＡＮおよび同軸ケーブル等の有線通信媒体１２８、無線ＬＡＮ（Local Area Network）、Ｂｌｕｅｔｏｏｔｈ（登録商標）およびＷｉＦｉ等の無線通信媒体１２９、ならびに、リモートコントローラ（リモコン）およびＩｒＳＳ等の赤外線通信媒体１３０が挙げられる。また、コンテンツ再生装置１００は、ＨＤＤ、フラッシュ、ＥＥＰＲＯＭ（Electrically Erasable Programmable Read Only Memory）等の内部記憶媒体１２１を備えている。
【００３６】
コンテンツ再生装置１００は、上記各インターフェース部を介して、上記各種媒体から、当該媒体の記憶するコンテンツのデータを入手することができる。また、コンテンツ再生装置１００は、内部記憶媒体１２１に記録されたコンテンツがあれば、そのデータを利用することができる。なお、コンテンツ再生装置１００は、上述した入力インターフェースの少なくともいずれか１つを備えていることが望ましく、すべてを備えていなくても良い。
【００３７】
本実施形態において、ユーザの操作は、リモコン（赤外線通信媒体１３０）を介して行うものとする。リモコンがユーザの操作に応じて出力した制御信号（赤外線）を、赤外線インターフェース部１２６が受信する。なお、本発明は、これに限られず、ユーザの操作は、キーボード、マウス、またはキーパッド等を用いて行っても良く、コンテンツ再生装置１００はこれらに応じたユーザインターフェースを備えていても良い。
【００３８】
また、コンテンツ再生装置１００は、コンテンツを再生するために、コンテンツ解析部１０７、ビデオデコード／キャプチャ部１０８、ビデオセレクタ部１０９、映像処理部１０４、映像出力変換部１１２、ＯＳＤ処理部１１０、オーディオデコード部１１１、オーディオセレクタ部１１３、オーディオ出力変換部１１４、表示装置１１５、およびスピーカ１１７を備えている。
【００３９】
コンテンツ解析部１０７は、入力インターフェースを介して入力されたコンテンツを解析し、抽出したデータを機器ビデオデコード／キャプチャ部１０８、ＯＳＤ処理部１１０、および／またはオーディオデコード部１１１の各々に振り分けて出力する。
【００４０】
ビデオデコード／キャプチャ部１０８は、入力された映像データをデコードする。ビデオセレクタ部１０９は、必要に応じて、デコードされた映像信号の出力経路設定を行う。映像処理部１０４は、必要に応じて、デコードされた映像信号について映像の色合い、または明るさ等の調整を行う。
【００４１】
ＯＳＤ処理部１１０は、ＯＳＤ（On Screen Display）表示を行う際に必要となるＯＳＤ画像のデータを作成するものである。ＯＳＤ処理部１１０が作成したＯＳＤ画像のデータは、加算回路１０５に出力される。なお、ＯＳＤ処理部１１０では、現在表示している画面から、次に表示すべき画面への遷移の処理も行う。ＯＳＤ処理部１１０の詳しい構成および機能については、後ほど説明する。
【００４２】
加算回路１０５では、ＯＳＤ処理部１１０からのＯＳＤ画像のデータと、映像処理部１０４からの映像データとを重ね合わせて、重畳処理を行う。
【００４３】
映像出力変換部１１２は、重畳処理された映像信号を、表示装置１１５で出力可能な信号形式に変換する。変換された映像信号は、例えば、液晶ディスプレイ等の表示装置１１５上に表示される。
【００４４】
オーディオデコード部１１１は、入力された音声データをデコードする。オーディオセレクタ部１１３は、必要に応じて、デコードされた音声信号の出力経路設定を行う。オーディオ出力変換部１１４は、入力された音声信号を、スピーカ１１７で出力可能な信号形式に変換する。変換された音声信号はスピーカ１１７から音声出力される。
【００４５】
また、コンテンツ再生装置１００では、ＣＰＵ（Central Processing Unit）１２０が、図示しないＲＯＭ（Read Only Memory）上のプログラムを順次読み出しながら、そのプログラムに従って、ＲＡＭ（Random Access Memory）１１６上またはバス上から必要な情報を受け取り、それらを用いて各機能ブロックを制御する。
【００４６】
なお、ここで説明している各機能ブロックは一例であり、コンテンツ再生装置１００は、チューナ等を有してテレビジョン受像機またはレコーダとして機能するものでもよい。なお、コンテンツ再生装置１００は、必ずしも、表示装置（映像表示手段）またはスピーカ（音声出力手段）を内部に備えている必要は無い。すなわち、外部の表示装置またはスピーカを接続させて利用する形態の装置であってもよい。また、コンテンツ再生装置１００は、ＣＣＤ（Charge Coupled Devices）等を備えてデジタルカメラとして機能するものであっても良い。なお、コンテンツ再生装置１００は、上述した表示装置およびスピーカのいずれか一方を備えるものであっても良い。
【００４７】
（ＯＳＤ処理部１１０の構成）
本実施形態に係るコンテンツ再生装置１００において、現在表示している画面から、次に表示すべき画面への遷移は、ＯＳＤ処理部１１０によって制御されている。以下では、ＯＳＤ処理部１１０の詳しい構成について、図１を参照して説明する。図１は、ＯＳＤ処理部１１０の内部構成を詳しく示したコンテンツ再生装置１００の概略構成を示したブロック図である。
【００４８】
図１に示すように、ＯＳＤ処理部１１０は、ＯＳＤ表示設定部、およびＯＳＤ合成処理部１２２、ＯＳＤ描画制御部１２３を備えている。ＯＳＤ処理部１１０は、ＣＰＵ１２０またはＯＳＤ描画制御部１２３からの制御命令に基づいて、内部記憶媒体１２１またはＲＡＭ１１６に格納されている画像データを用いて、ＯＳＤに表示するための画像をＲＡＭ１１６に作成する。ＲＡＭ１１６に作成した画像は、加算回路１０５において、表示処理部１０４からの映像データと重ね合わされ、重ね合わされた画像が表示装置１１５に出力されて表示画面に表示される。
【００４９】
ＯＳＤ描画制御部１２３は、転写処理または矩形等の図形描画処理、またはαブレンド処理等を行うものである。これらの処理は、ＣＰＵ１２０を介したソフトウェア処理でも実現可能である。この場合には、ハードウェア構成上はＯＳＤ描画制御部１２３を省略しても良い。
【００５０】
ＯＳＤ表示設定部では、ＲＡＭ１１６の特定のアドレスを表示開始位置とした領域に格納されているデータの表示形式（ＲＧＢ形式、ＹＣｂＣｒ形式、またはＣＬＵＴ形式等）に従って、当該データを用いて出力画像を作成する。なお、表示開始位置となる特定のアドレスは、常に固定されていても良いし、任意のアドレスに設定できるようにＯＳＤ表示領域設定手段を備えていても良い。
【００５１】
また、ＧＵＩ画面、字幕画面、およびデータ放送画面等、複数の異なるＯＳＤ画面を同時に表示する必要がある場合がある。このような場合のために、ＯＳＤ処理部１１０は、ＯＳＤ表示設定部をｎ個（ｎはハードウェアの構成によって異なる整数値）備えている。各ＯＳＤ表示設定部が作成したＯＳＤ画像を、ＯＳＤ合成処理部１２２で設定値（重なり順序等）に応じて１つの画像に合成して出力する。各ＯＳＤ表示設定部で作成したＯＳＤ画像は、ＲＧＢ形式、ＹＣｂＣｒ形式、またはＣＬＵＴ形式等、様々な表示形式のものがあると想定される。そのため、各ＯＳＤ表示設定部は、ＯＳＤ合成処理部１２２にＯＳＤ画像を出力する際に、例えば、ＲＧＢ形式に統一する等して、表示形式を共通の形式に変換する機能を有することが好ましい。
【００５２】
（画面遷移の概要）
以上で説明したＯＳＤ処理部１１０による画面遷移の概要について説明する。コンテンツ再生装置１００における画面遷移時の一表示例を図３および図４に示す。図３（ａ）は、画面遷移前の表示画面の一表示例を示す図である。図３（ｂ）は、画面遷移時の表示画面の一表示例を示す図である。図４は、画面遷移完了時の表示画面の一表示例を示す図である。
【００５３】
コンテンツ再生装置１００では、現在表示している画面（第一画面）を、次に表示すべき画面（第二画面）に遷移させる際に、スクロール表示しながら遷移させる。具体的には、２枚の表示画像を連ねた画像の表示処理を画面遷移前に予め行っておく。２枚の表示画像のうち一方は、現在表示画面に表示されている画像を表示した遷移前画像であり、他方は、次に表示すべき画面の背景画像等、予め用意可能な画像を表示した遷移後画像である。したがって、図３（ａ）では、「Ｍｕｓｉｃ（音楽）」，「Ｐｈｏｔｏ（画像）」，「Ｖｉｄｅｏ（動画）」の３つの選択コンテンツが表示された画像（遷移前画像１０）が、ユーザが視認している表示画面には表示されている（図３（ａ）の太枠内）。当該遷移前画像１０と共に、「Ｐｈｏｔｏ」に含まれるフォルダ（「Ｐｈｏｔｏ」の下位階層のフォルダ）の一覧を表示する際の背景画像（遷移後画像１１）が用意されている。
【００５４】
この構成において、図３（ａ）に示した遷移前画像１０の「Ｐｈｏｔｏ」のアイコンを選択すると、遷移前画像１０と遷移後画像１１とを連ねた画像がスクロール表示される。したがって、ユーザは、遷移前画像１０が徐々に上（表示画面外）に移動していき、当該遷移前画像１０の下から遷移後画像１１が徐々に表示画面に現れてくるのを視認することになる（図３（ｂ）の太枠内）。すなわち、遷移前画像１０から、徐々に遷移後画像１１に遷移していくのを視認することになる。
【００５５】
ここで、遷移後画像１１は、次に表示すべき画像の背景画像であるが、スクロール表示完了後には、次に表示すべき画面が表示画面に表示される。これは、本実施形態では、遷移前画像１０と遷移後画像１１とを連ねた画像をスクロール表示している間に、次に表示すべき画面（以下、遷移完了時画像という）の表示処理を行っているためである。具体的には、スクロール表示中に、遷移完了時画像に必要な表示処理を予め行い、スクロール表示完了後には表示画面に遷移完了時画像をすぐに表示できるようにする。
【００５６】
例えば、図３（ａ）に示した遷移前画像１０から遷移後画像１１へのスクロール表示中には、「Ｐｈｏｔｏ」に含まれるフォルダの個数、各フォルダの名称、または各フォルダに含まれるファイル（各フォルダの下位階層のファイル）のサムネイル画像等、「Ｐｈｏｔｏ」に含まれるフォルダに関するデータを取得し、当該データを表示画面に表示するまでに必要な処理を行う。そして、遷移前画像１０から遷移後画像１１へのスクロール表示完了後に、図４に示すように、「Ｐｈｏｔｏ」に含まれるフォルダの個数、各フォルダの名称、または各フォルダに含まれるファイル（各フォルダの下位階層のファイル）のサムネイル画像等を掲載した遷移完了時画像１２が表示画面に表示される。
【００５７】
以上によれば、画面が遷移している間も、表示画面には、画面の遷移に併せて画面が動いて表示される。したがって、画面が遷移するのをユーザが待っている間にも表示画面上に動きをつけることによって、ユーザの待たされているという感覚を軽減することができる。
【００５８】
また、ユーザからの画面遷移の指示を受ける前（すなわち画面の遷移前）、および画面の遷移中に、次に表示すべき画面（遷移完了時画面１２）の表示処理を予め行う。これによって、画面の遷移に要する時間が短縮され、遷移完了時画像１２をすぐに表示することができる。
【００５９】
（画面遷移の工程）
以下では、コンテンツ再生装置１００の画面遷移の工程（画面遷移方法）について、図５を参照して詳しく説明する。図５は、画面遷移時の各タスクの処理内容を示すタイミングチャートである。画面遷移の一例として、コンテンツ再生装置１００に接続したＵＳＢメモリに格納されているフォルダのうち、画像データが格納されているフォルダをアルファベット順に表示するような指示をした際の画面遷移の工程について説明する。
【００６０】
まず、ユーザがコンテンツ再生装置１００に接続したＵＳＢメモリに格納されているフォルダのうち、画像データが格納されているフォルダを表示するような指示を行う。当該指示を受けると、描画タスク（スクロール表示手段，取得手段）としてＯＳＤ処理部１１０が、遷移前画像１０をスクロール表示させる。ここで、１フレーム期間において、描画タスクが行うスクロール表示に要する時間が十分短い場合には、残りの時間を遷移完了時画像１２に必要な表示処理に使用することができる。具体的には、図５に示すように、１フレーム期間において、描画タスクがスクロール処理を行うと（ステップＳ１）、映像処理タスク（処理手段）として映像処理部１０４では遷移完了時画像１２の色合いを変更する処理を行う（ステップＳ２）。また、ＵＳＢ処理タスク（処理手段）としてコンテンツ解析部１０７では、ＵＳＢメモリ内の画像データが格納されているフォルダを探索する処理を行う（ステップＳ３）。次の１フレーム期間においては、描画タスクは引き続きスクロール処理を行い（ステップＳ４）、ＵＳＢ処理タスクは引き続きフォルダの検索処理を行う（ステップＳ５）。次の１フレーム期間では、描画タスクが引き続きスクロール処理を行った後（ステップＳ６）、ＵＳＢ処理タスクではフォルダの検索処理に続いて、検索処理によって抽出したフォルダをアルファベット順に並び替える処理を行う（ステップＳ７）。続いての１フレーム期間では、描画タスクが引き続きスクロール処理を行った後（ステップＳ８）、映像処理タスクは遷移完了時画像１２の明るさを変更する処理を行う（ステップＳ９）。また、ＵＳＢ処理タスクでは、引き続きフォルダの並び替え処理を行う（ステップＳ１０）。
【００６１】
このようにして、描画タスクがスクロール処理をしている間に、ＵＳＢ処理タスクおよび映像処理タスクでは、遷移完了時画像１２に必要な表示処理を進める。これによれば、描画タスクがスクロール処理を完了した時点には、遷移完了時画像１２に必要な表示処理は完了し、表示画面に遷移完了時画像１２を表示させることができる。
【００６２】
スクロール表示している間に、遷移完了時画像１２の表示処理を行っているので、遷移前画像１０から遷移完了時画像１２に遷移する際に要する時間を短縮させることができる。画面の遷移に要する時間の詳細を図６に示す。図６は、従来技術と本発明とにおける画面遷移時に要する時間の詳細を示すタイミングチャートである。図６に示すように、従来技術では、ユーザから画面遷移の指示（画面遷移要求）があった時点から、ＵＳＢメモリ内のフォルダの探索および並び替えを行い、遷移完了時画像１２の背景画像を読み込む。そして、最終的に遷移完了時画像１２の表示処理を行う（画面描画）。
【００６３】
一方、本発明では、ユーザからの画面遷移要求がある前に、遷移完了時画像１２の背景画像（遷移後画像１１）を予め読み込む。そして、ユーザからの画面遷移要求があった時点から、遷移前画像１０から遷移後画像１１へのスクロール処理を始める。この際、上述したように、スクロール処理の間にＵＳＢメモリ内のフォルダの検索および並び替えを行い、スクロール処理終了時点に遷移完了時画像１２の表示処理を行う（画面描画）。
【００６４】
以上により、本発明では、遷移完了時画像１２の背景画像をユーザからの画面遷移要求の前に読み込んでおく。これによって、ユーザからの画面遷移要求後に遷移完了時画像１２の背景画像を読み込む時間を短縮することができる。また、本発明では、スクロール処理の間にＵＳＢメモリ内のフォルダの検索および並び替えを行っている。これによって、遷移完了時画像１２を表示するための処理が行われているにも拘らず、表示画面ではスクロール表示されているので、ユーザは待たされていると感じない。したがって、ユーザの体感的な待ち時間は、スクロール処理完了時に遷移完了時画像１２を表示するのに要する時間だけである。従来技術では、ユーザからの画面遷移要求がなされてから、遷移完了時画像１２を表示するための各種処理が行われる。したがって、ユーザが画面遷移要求をしてから、実際に遷移完了時画像１２が表示画面に表示されるまでに要する時間が、ユーザの体感的な待ち時間であった。そこで、本発明では、遷移完了時画像１２の背景画像の先読み、および遷移前画像１０から遷移後画像１１へのスクロール表示によって、従来技術と比較して、ユーザの体感的な待ち時間を大幅に短縮することができる。また、画面の遷移に実際に要する時間も短縮することができるので、すぐに次の画面を表示することができる。
【００６５】
（スクロール処理中の処理内容）
以上では、ＵＳＢメモリに格納されているフォルダのうち、画像データが格納されているフォルダをアルファベット順に表示する場合の例を示したが、必ずしもこれに限定されるわけではない。例えば、画像データ以外にも、音楽データまたは動画データ等、他のコンテンツを表示する構成も可能である。また、ＵＳＢメモリ等の外部記憶媒体１２７に限らず、内部記憶媒体１２１、またはコンテンツ再生装置１００に接続可能な各種媒体に格納されているコンテンツを表示する構成でも良い。
【００６６】
したがって、スクロール処理中には、表示するデータによって種々の処理を行うことが可能である。例えば、次に表示すべき画面の表示に必要な情報の読み込み、または整理等を行うことができる。具体的には、ＵＳＢメモリに格納されているアプリを再生する場合には、当該ＵＳＢメモリに格納されているアプリを検索し、該当するアプリを抽出する処理を行うことができる。あるいは、ブラウザを表示する場合には、次に表示すべき画面の画像、またはテキストデータ等を予めダウンロードすることができる。また、番組表を表示する場合には、放送波またはＲＡＭ１１６から取得した各番組情報を読み込むことも可能である。
【００６７】
また、アプリケーションを再生する場合には、当該アプリケーションの各種パラメータの設定を行うことができる。具体的には、アプリケーションを再生する際の表示画面の色合い、明るさ、または出力フレームレート等の表示パラメータの設定、または音声の低音部、および高音部のゲイン調整、またはボリュームの調整等、音声パラメータの設定を行うことも可能である。あるいは、リモコンのキーまたはコンテンツ再生装置１００に備えられたキーの有効／無効、または動作内容の設定を行うことができる。また、コンテンツ再生装置１００に備えられたインジケータ等のサブ画面、または電源ＬＥＤ等のイルミネーションの設定も可能である。
【００６８】
他にも、現在表示している画面（遷移前画像１０）を管理するための処理を行うことができる。具体的には、画面の遷移後に、最初に選択するコンテンツに関する情報の読み込みを行うことができる。コンテンツに関する情報とは、例えば、当該コンテンツを再生した際に、最後に選択したコンテンツに関する情報等である。また、画面遷移後の画面遷移状態（表示状態）の保存、または画面遷移後の画面から、直前の画面（画面遷移前の画面）を表示する際に必要な画面位置情報等の保存を行うことも可能である。直前の画面を表示する際に必要な情報とは、例えば、直前の画面で最後に選択されていたコンテンツの情報等である。この場合には、上記情報を記憶するための記憶部を設ける必要がある。
【００６９】
また、選択中のコンテンツの再生開始前に必要な事前処理を行うことができる。具体的には、画面遷移後において、最初に選択されている画像データの事前デコード、音楽データのバッファリング、動画データのバッファリング、またはプレビュー映像再生処理等を行うことができる。
【００７０】
（スクロール表示の処理例１）
スクロール表示の処理方法について、図７〜９を参照して説明する。図７は、各ＯＳＤメモリ領域が保持するＯＳＤ画像の一例を示す図である。図８は、ＯＳＤメモリ領域１のＯＳＤ画像の一部をＯＳＤ領域２に転送する工程を示す図である。図９は、ＯＳＤメモリ領域３のＯＳＤ画像の一部をＯＳＤ領域２に転送する工程を示す図である。
【００７１】
図７に示すように、ＲＡＭ１１６は、ＯＳＤメモリ領域を３つ備えており、ＯＳＤメモリ領域１およびＯＳＤメモリ領域３がそれぞれ保持するＯＳＤ画像の一部をＯＳＤメモリ領域２に転送する画面転送手段を備えている場合を想定する。このような構成において、以下の手順でスクロール表示が実現できる。なお、スクロール処理前はＯＳＤメモリ領域１のＯＳＤ画像を表示画面に表示しているとする。すなわち、ＯＳＤメモリ領域１のＯＳＤ画像が、遷移前画像１０であるとする。
【００７２】
まず、ＯＳＤメモリ領域３に、次に表示すべき画像（遷移完了時画像１２）を作成する。なお、この処理は、ユーザが画面の遷移を指示する前に予め行っておく。この際、ユーザからの画面遷移の指示よりも前に遷移完了時画像１２を作成することができない場合には、当該遷移完了時画像１２の背景画像等、予め用意可能な画像（遷移後画像１１）を作成する。あるいは、遷移完了時画像１２または当該遷移完了時画像１２の背景画像等を予め用意せずに、例えば、黒画面等、他の画像をＯＳＤメモリ領域３に作成することも可能である。図７では、遷移完了時画像１２の背景画像（遷移後画像１１）をＯＳＤメモリ領域３に作成している。
【００７３】
次に、１フレーム期間において、遷移前画像１０がスクロール表示によって、表示画面外に移動する領域以外の領域（図８の太枠内）を、図８に示すように、ＯＳＤメモリ領域２の上部に転写する。当該領域は、１フレーム期間のスクロール表示後にも、表示画面に表示されている画像である。
【００７４】
また、図９に示すように、ＯＳＤメモリ領域２の残りの領域に、ＯＳＤメモリ領域３の遷移後画像１１の一部を転写する。この際、ＯＳＤメモリ領域２の残りの領域に相当する領域（図９の太枠内）だけ遷移後画像１１を転写する。当該領域は、１フレーム期間のスクロール表示後に、新たに表示画面に表示される画像である。
【００７５】
このようにして、ＯＳＤメモリ領域２には、１フレーム期間のスクロール表示後にも表示画面に表示される画像と、１フレーム期間のスクロール表示後に新たに表示画面に表示される画像とを連ねたスクロール画像１３が完成する。当該スクロール画像１３をＯＳＤメモリ領域１に転写することによって、ＯＳＤメモリ領域１が保持するスクロール画像１３は表示画面に表示される。したがって、この一連の処理（１フレーム期間の処理）によって、表示画面に表示されている画像は、遷移前画像１０からスクロール画像１３に切り替わる。当該処理を一定のフレーム期間に連続して行うことによって、遷移前画像１０から遷移後画像１１に徐々に遷移していくのをユーザは視認することになる。このようにして、遷移前画像１０から遷移後画像１１へのスクロール表示は実現される。
【００７６】
上述したように、上記スクロール表示の間に、遷移完了時画像１２を表示するための処理が行われている。当該遷移完了時画像１２の表示処理が完了すると、当該遷移完了時画像１２のデータは、最終的に映像処理部１０４に出力される。映像処理部１０４に出力された遷移完了時画像１２のデータは、加算回路１０５に出力される。一方、ＯＳＤ処理部１１０にてスクロール表示が完了すると、完了時点でのＯＳＤメモリ領域１が保持するＯＳＤ画像のデータ、すなわち遷移後画像１１のデータは、加算回路１０５に出力される。加算回路１０５では、遷移後画像１１のデータと映像処理部１０４からのデータとを重ね合わせる重畳処理を行い、重ね合わせた映像データを表示装置（表示手段）１１５に送る。表示装置１１５では、加算回路１０５送られてきた映像データを表示画面上に表示する。このようにして、一連のスクロール表示の後に、最終的に遷移完了時画像１２を表示することができる。
【００７７】
以上では、スクロール画像１３をＯＳＤメモリ領域１に転写して表示画面に表示させているが、必ずしもこれに限定されるわけではない。例えば、遷移前画像１０および遷移後画像１１の一部をＯＳＤメモリ領域２に転写してスクロール画像１３を作成した際に、そのままＯＳＤメモリ領域２が保持するスクロール画像１３を表示画面に表示させるような構成にしても良い。この場合には、次フレーム期間には、ＯＳＤメモリ領域２が保持するＯＳＤ画像が遷移前画像１０となり、ＯＳＤメモリ領域１に新たにスクロール画像１３を作成する。このように、ＯＳＤメモリ領域１およびＯＳＤメモリ領域２の役割を適宜入れ替えてスクロール処理を行う構成でも良い。
【００７８】
（スクロール表示の処理例２）
以下では、上記したスクロール表示の処理方法とは別の方法について、図１０〜１３を参照して説明する。図１０は、ＯＳＤメモリ領域が保持するＯＳＤ画像の一例を示す図である。図１１は、ＯＳＤメモリ領域に２つのＯＳＤ画像を作成する工程を示す図である。図１２は、表示開始位置のアドレスを変更する工程を示す図である。図１３は、ＯＳＤメモリ領域の下側のＯＳＤ画像を上側に転写する工程を示す図である。
【００７９】
図１０に示すように、ＲＡＭ１１６は、連続した２つのＯＳＤ画像を保持するＯＳＤメモリ領域を備えており、当該ＯＳＤメモリ領域の任意のアドレスを表示開始位置として設定できるＯＳＤ表示領域設定手段を備えている場合を想定する。このような構成において、以下の手順でスクロール表示が実現できる。なお、スクロール処理前はＯＳＤメモリ領域の先頭のアドレスが表示開始位置に設定されているとする。したがって、ＯＳＤメモリ領域の上側のＯＳＤ画像が表示画面に表示されていることになる。そこで、当該上側のＯＳＤ画像が、遷移前画像１０であるとする。
【００８０】
まず、ＯＳＤメモリ領域の下側に、次に表示すべき画像（遷移完了時画像１２）を作成する。なお、この処理は、ユーザが画面の遷移を指示する前に予め行っておく。この際、ユーザからの画面遷移の指示よりも前に遷移完了時画像１２を作成することができない場合には、当該遷移完了時画像１２の背景画像等、予め用意可能な画像（遷移後画像１１）を作成する。あるいは、遷移完了時画像１２または当該遷移完了時画像１２の背景画像等を予め用意せずに、例えば、黒画面等、他の画像をＯＳＤメモリ領域３に作成することも可能である。図１１では、遷移完了時画像１２の背景画像（遷移後画像１１）をＯＳＤメモリ領域の下側に作成している。
【００８１】
次に、１フレーム期間において、遷移前画像１０がスクロール表示によって、表示画面外に移動する領域に応じて表示開始位置のアドレスを変更する。具体的には、１フレーム期間において、遷移前画像１０がスクロール表示によって、表示画面外に移動する領域の直下の領域（図１２の太枠内）における先頭のアドレスを次の表示開始位置として設定する。したがって、当該領域（図１２の太枠内）は、次フレーム期間に表示画面に表示される画像である。
【００８２】
この一連の処理（１フレーム期間の処理）によって、表示画面に表示されている画像は、遷移前画像１０から、当該遷移前画像１０を下にスクロール表示した画像に切り替わる。当該処理を一定のフレーム期間に連続して行うことによって、表示開始位置のアドレスが、遷移前画像１０の先頭アドレスから、徐々に遷移後画像１１の先頭アドレスへとシフトしていく。その結果、遷移前画像１０から遷移後画像１１に徐々に遷移していくのをユーザは視認することになる。このようにして、遷移前画像１０から遷移後画像１１へのスクロール表示は実現される。特に、上記の処理方法によれば、表示開始位置のアドレスを変更するだけでスクロール表示を行うことができるので、当該処理によるコンテンツ再生装置１００への負荷を低く抑えることができる。
【００８３】
なお、表示開始位置のアドレスが遷移後画像１１の先頭アドレスにまで達した場合、すなわちスクロール処理完了時には、遷移後画像１１をそのまま表示画面に表示させる構成にしても良いが、必ずしもこれに限定されるわけではない。例えば、図１３に示すように、表示開始位置のアドレスが遷移後画像１１の先頭アドレスにまで達すると、下側のＯＳＤ画像（遷移後画像１１）を上側に転写し、当該ＯＳＤ画像を新たな遷移前画像１０としても良い。そして、当該遷移前画像１０から別の画面に遷移する場合には、また新たに遷移後画像１１をＯＳＤメモリ領域の下側に作成し、上記の処理と同様の処理を行えば、遷移前画像１０から遷移後画像１１へのスクロール表示を行うことができる。
【００８４】
以上では、遷移前画像１０から遷移後画像１１に遷移する際に、縦方向にスクロール表示していく構成を示したが、必ずしもこれに限定されるわけではない。例えば、遷移前画像１０から横方向（右方向または左方向）に徐々に移動していく構成にしても良い。この詳細を図１４に示す。図１４は、ＯＳＤメモリ領域が保持するＯＳＤ画像の一例を示す図である。
【００８５】
図１４に示すように、ＲＡＭ１１６は、連続した２つのＯＳＤ画像を保持するＯＳＤメモリ領域を備えており、当該ＯＳＤメモリ領域の任意のアドレスを表示開始位置として設定できるＯＳＤ表示領域設定手段を備えている場合を想定する。このような構成において、上記の処理方法と同様に、表示開始位置のアドレスを徐々に横方向（右方向）に変更すれば、遷移前画像１０から遷移後画像１１への横方向のスクロール表示は実現される。
【００８６】
あるいは、遷移前画像１０から縦方向、横方向および斜め方向に徐々に移動していく構成にしても良い。この詳細を図１５に示す。図１５は、ＯＳＤメモリ領域が保持するＯＳＤ画像の一例を示す図である。
【００８７】
図１５に示すように、ＲＡＭ１１６は、連続した４つ（２行×２列）のＯＳＤ画像を保持するＯＳＤメモリ領域を備えており、当該ＯＳＤメモリ領域の任意のアドレスを表示開始位置として設定できるＯＳＤ表示領域設定手段を備えている場合を想定する。このような構成において、上記の処理方法と同様に、表示開始位置のアドレスを任意の位置に変更すれば、遷移前画像１０から遷移後画像１１への縦方向、横方向および斜め方向等、様々なスクロール表示が実現される。
【００８８】
以上では、種々のスクロール表示の処理方法を示したが、ＯＳＤメモリ領域が有するメモリサイズ等を考慮して、適当なスクロール表示方法を選択すれば良い。
【００８９】
（プログラムおよび記録媒体）
最後に、コンテンツ再生装置１００に含まれている各部は、ハードウェアロジックによって構成すれば良い。または、次のように、ＣＰＵ１２０を用いてソフトウェアによって実現しても良い。
【００９０】
すなわち、コンテンツ再生装置１００は、各機能を実現するプログラムの命令を実行するＣＰＵ１２０、このプログラムを格納した、上記プログラムを実行可能な形式に展開するＲＡＭ１１６、および上記プログラムと各種データとを格納するメモリ等の記憶装置（記録媒体）を備えている。この構成により、本発明の目的は、所定の記録媒体によっても達成できる。
【００９１】
この記録媒体は、上述した機能を実現するソフトウェアであるコンテンツ再生装置１００のプログラムのプログラムコード（実行形式プログラム，中間コードプログラム，ソースプログラム）をコンピュータで読み取り可能に記録していれば良い。コンテンツ再生装置１００に、この記録媒体を供給する。これにより、コンピュータとしてのコンテンツ再生装置１００（またはＣＰＵ、ＭＰＵ）が、供給された記録媒体に記録されているプログラムコードを読み出し、実行すれば良い。
【００９２】
プログラムコードをテレビジョン受像機１０に供給する記録媒体は、特定の構造または種類のものに限定されない。すなわちこの記録媒体は、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系等とすることができる。
【００９３】
また、コンテンツ再生装置１００を通信ネットワークと接続可能に構成しても、本発明の目的を達成できる。この場合、上記のプログラムコードを、通信ネットワークを介してコンテンツ再生装置１００に供給する。この通信ネットワークはコンテンツ再生装置１００にプログラムコードを供給できるものであれば良く、特定の種類または形態に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、または衛星通信網等であれば良い。
【００９４】
この通信ネットワークを構成する伝送媒体も、プログラムコードを伝送可能な任意の媒体であれば良く、特定の構成または種類のものに限定されない。例えば、ＩＥＥＥ１３９４、ＵＳＢ、電力線搬送、ケーブルＴＶ回線、電話線、またはＡＤＳＬ（Asymmetric Digital Subscriber Line）回線等の有線でも、ＩｒＤＡまたはリモコンのような赤外線、Ｂｌｕｅｔｏｏｔｈ（登録商標）、８０２．１１無線、ＨＤＲ、携帯電話網、衛星回線、または地上波デジタル網等の無線でも利用可能である。なお、本発明は上記プログラムコードが電子的な伝送で具現化された、搬送波に埋め込まれたコンピュータデータ信号の形態でも実現され得る。
【００９５】
本発明は、上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００９６】
本発明に係る画面遷移装置は、パーソナルコンピュータ、携帯型情報端末（ＰＤＡ；Personal Data Assistant）、携帯電話、テレビジョン受像機、またはテレビジョン機能付きパーソナルコンピュータ等のコンテンツ再生装置に適用可能である。
【符号の説明】
【００９７】
１０  遷移前画像
１１  遷移後画像
１２  遷移完了時画像
１３  スクロール画像
１００  コンテンツ再生装置
１０５  加算回路
１１０  ＯＳＤ処理部
１１２  映像出力変換部
１１５  表示装置
１１６  ＲＡＭ
１２０  ＣＰＵ
１２１  内部記憶媒体
１２２  ＯＳＤ合成処理部
１２３  ＯＳＤ描画制御部
【図１】
2011138383.tif 000003
【図２】
2011138383.tif 000004
【図３】
2011138383.tif 000005
【図４】
2011138383.tif 000006
【図５】
2011138383.tif 000007
【図６】
2011138383.tif 000008
【図７】
2011138383.tif 000009
【図８】
2011138383.tif 000010
【図９】
2011138383.tif 000011
【図１０】
2011138383.tif 000012
【図１１】
2011138383.tif 000013
【図１２】
2011138383.tif 000014
【図１３】
2011138383.tif 000015
【図１４】
2011138383.tif 000016
【図１５】
2011138383.tif 000017